(57)【特許請求の範囲】
【請求項１】
花壇等の底部に敷設配置する植栽床であって，形状自在性を有する表面の透水性フィルターと，該透水性フィルターの裏面にそれぞれ上縁部を接着し該透水性フィルターの曲げ代をなす桝目帯状の間隔をあけて隣接相互に整列配置しその平面形状を方形又は円形とした個別多数の保水材ケースと，該保水材ケースの収容部内に充填した保水材とを備え，上記保水材ケースに，該保水材ケースを横断してその収容部を多数に区分し且つ該保水材ケースの曲げ代をなすことによって該保水材ケースを表面側に向けて折曲自在とした相互に交差する交差区分溝を配置し，上記多数に区分した各収納部に上記保水材を区分収容してなることを特徴とするフレキシブル植栽床。
【請求項２】
上記保水材ケースの交差区分溝を，これら保水材ケースの整列方向と４５°の角度をなして相互に直交するＸ字状としてなることを特徴とする請求項１に記載のフレキシブル植栽床。
【発明の詳細な説明】
【０００１】
【発明の属する技術分野】
本発明は，ベランダ，屋上等に花壇を形成するに使用する植栽床に関し，特に花壇の形状や寸法に対応して設置し得るようにしたフレキシブル植栽床に関する。
【０００２】
【従来の技術】
この種植栽床として，例えば本出願人による特開平１１−４６５７２号が知られており，これによれば，花壇等の底部に敷設配置する植栽床であって，表面の透水性フィルターと，該透水性フィルターの裏面にオーバーフロー孔を有する対接部を接着した，多数の収容部を備えて一体成形した単一の保水材ケースと，上記各収容部内に充填した保水材とを備えたものとされる。
【０００３】
【発明が解決しようとする課題】
この場合軽量にして耐久性に優れて使い勝手のよい花壇等に使用する植栽床を提供することが可能になるが，このとき植栽床は方形又は矩形に寸法が規格化されたパネル状のものとされるので，そのままでは花壇の形状や寸法に直ちに対応することができないため，その敷設が必ずしも容易とはいえない。
【０００４】
即ち花壇の形状や寸法は様々であり，上記規格化した植栽床によって全て対応できないから，例えば花壇形状が円形，楕円等の全体的又は部分的に湾曲して直線，直角以外の曲線部分を有する場合，花壇の形状が方形又は矩形等としても，その寸法（面積）が規格化した植栽床の寸法の倍数とならない場合等においては，形状や寸法を可及的にこれらに合わせるように上記対接部をカッター，はさみ等によって切断してた上で敷設使用する必要があり，敷設作業が煩雑となる傾向がある。
【０００５】
本発明はかかる事情に鑑みてなされたもので，その解決課題とするところは，花壇の形状や寸法に可及的簡易に対応した敷設が可能なフレキシブル植栽床を提供するにある。
【０００６】
【課題を解決するための手段】
上記課題に添って本発明は，形状自在性を有する透水性フィルターに桝目帯状の間隔をあけて，収容部に保水材を充填しその平面形状を方形又は円形とした個別多数の保水材ケースを整列配置することによって，上記間隔を曲げ代として保水材ケース同士を近接するように離接自在とし，これらの間の桝目帯状の間隔を寸法を吸収可能の寸法調整手段として寸法自在性を確保するとともに桝目帯状の間隔を介して保水材ケースを植栽床の端部において傾斜乃至立上げ状にしてその端部形状を変形可能として形状自在性を確保するとともに上記保水材ケースに，その収納部をそれぞれ多数に区分することによって該保水材ケースを表面側に折曲自在とした曲げ代をなす交差区分溝を配置して，該保水材ケースの上記折曲による端部形状の変形を可能として，その形状自在性を向上することによって花壇の形状や寸法に可及的簡易に対応した敷設を可能としたものであって，即ち請求項１に記載の発明を，花壇等の底部に敷設配置する植栽床であって，形状自在性を有する表面の透水性フィルターと，該透水性フィルターの裏面にそれぞれ上縁部を接着し該透水性フィルターの曲げ代をなす桝目帯状の間隔をあけて隣接相互に整列配置しその平面形状を方形又は円形とした個別多数の保水材ケースと，該保水材ケースの収容部内に充填した保水材とを備え，上記保水材ケースに，該保水材ケースを横断してその収容部を多数に区分し且つ該保水材ケースの曲げ代をなすことによって該保水材ケースを表面側に向けて折曲自在とした相互に交差する交差区分溝を配置し，上記多数に区分した各収納部に上記保水材を区分収容してなることを特徴とするフレキシブル植栽床とし，請求項２に記載の発明は，上記保水材ケースの曲げ代をなす交差区分溝を，相互に直交するＸ字状とすることによって，該交差区分溝による形状自在性を更に向上して，花壇の形状に対してより確実に馴染んだ敷設を可能とするように，これを，上記保水材ケースの交差区分溝を，これら保水材ケースの整列方向と４５°の角度をなして相互に直交するＸ字状としてなることを特徴とする請求項１に記載のフレキシブル植栽床とし，これらをそれぞれ発明の要旨とすることによって上記課題解決の手段としたものである。
【０００７】
【発明の実施の形態】
以下図面の例に従って本発明を更に具体的に説明すれば，Ａは花壇等Ｂの底部に敷設配置するフレキシブル植栽床であり，該植栽床Ａは，形状自在性を有する表面の透水性フィルター１と，該透水性フィルター１の裏面にそれぞれ上縁部４を接着し該透水性フィルター１の曲げ代をなす桝目帯状の間隔をあけて隣接相互に整列配置しその平面形状を方形又は円形とした個別多数の保水材ケース２と，該保水材ケース２の収容部３内に充填した保水材６とを備えたものとしてある。
【０００８】
本例において透水性フィルター１は，例えば不織布によるものとして，その透水性と形状自在性を備えたものとし，その形状を平面方形又は矩形として所定の面積のものとしてある。
【０００９】
本例において保水材ケース２は薄肉フィルム状の合成樹脂，例えば塩化ビニール樹脂を成形して，箱状に凹陥した収容部３と，その開口側周辺に張出設置した張出フランジによる上縁部４を備えたものとする一方，該上縁部４の張出フランジを，例えば接着剤接着や高周波接着することによって上記透水性フィルター１の裏面に接着し，これを該透水性フィルター２に個別多数配置したものとしてある。
【００１０】
本例において保水材６は発泡性粒状の例えば保水性を有する発泡粒によるものとしてあり，本例の保水材６はパーライトを用いて，これを上記各保水材ケース２に充填してある。
【００１１】
このとき上記透水性フィルター１における保水材ケース２の配置は，個別多数の保水材ケース２の隣接相互間に桝目帯状の間隔をあけて，保水材ケース２を，例えばマトリックス状等間隔に整列配置することによって行なってあり，これにより桝目帯状の間隔を曲げ代として，これを透水性フィルター１の形状自在性を利用して保水材ケース２間に適宜に折り込んで該保水性フィルター１同士を離接自在とし且つ任意に折曲自在としてある。
【００１２】
このとき本例の保水材ケース２は，これを，上記保水材ケース２に，該保水材ケース２を横断してその収容部３を多数に区分し且つ該保水材ケース２の曲げ代をなすことによって該保水材ケース２を表面側に向けて折曲自在とした相互に交差する交差区分溝５を配置し，上記多数に区分した各収納部３ａ，３ｂ，３ｃ，３ｄに上記保水材を区分収容してあり，本例にあって上記交差区分溝５は，これを，これら保水材ケース２の整列方向と４５°の角度をなして相互に直交するＸ字状としたものとしてある。
【００１３】
即ち本例の保水材ケース２は，上記構成に加えてこれを平面方形のものとし，その対角線に沿うようにＸ字状に交差区分溝５を配置して，直角２等辺三角形にして４区分した区分収容部３ａ，３ｂ，３ｃ，３ｄを区分形成したものとするとともに上記保水材ケース２の整列方向に４５°の角度をなすものとしてあり，このとき該交差区分溝５の深さは，これを上記保水材ケース２の収容部３の深さよりやや浅くしてあり，これによって各区分収容部３ａ，３ｂ，３ｃ，３ｄの保水材６を充填したまま，該交差区分溝５を同様に曲げ代（曲げガイド）として，その上記薄肉の樹脂を用いたことによる上記透水性フィルター１形状自在性を損なうことなく，その表面側に折曲自在とし，保水材ケース２の折り曲げによる端部形状の変形を可能として，植栽床Ａとしての形状自在性を確保したものとしてある。
【００１４】
因に本例においては，その透水性フィルター１を３３７×３３７ｍｍにして，これに３０ｍｍの間隔を介して，１２５×１２５ｍｍの保水材ケース２を４つ配置した最小のもの，透水性フィルター１を３３７×６７４ｍｍにして，同じく保水材ケース２を２列４段配置した中間のもの，透水性フィルター１を６７４×６７４ｍｍにして，同じく保水材ケース２を４列４段配置したもの等多種類の植栽床Ａを用意して，花壇Ｂの面積に応じて適宜選択乃至組合せて使用するようにしてあり，このとき上記交差区分溝５はそれぞれこれを約１ｃｍとしてある。
【００１５】
このように形成した植栽床Ａと花壇Ｂとの関係を例示すれば，図６は花壇Ｂを方形又は矩形として，これに該花壇Ｂより大きな植栽床Ａを使用して，花壇Ｂの寸法に合わせて植栽床Ａの寸法を桝目帯状の間隔によって吸収した例であり，本例にあって該植栽床Ａは，桝目帯状の間隔を曲げ代として，それぞれを保水材ケース２間に折り込み，これら保水材ケース２同士を近接して花壇Ｂに納めて敷設してある。
【００１６】
図７は花壇Ｂを円形として，これに同じく花壇Ｂより大きな植栽床Ａを使用して，花壇Ｂの曲線部分に対応し，上記桝目帯状の間隔によって同様に植栽床Ａの寸法を吸収するとともに該間隔乃至交差区分溝５を曲げ代として保水材ケース２を植栽床Ａの端部において傾斜乃至立上げ状にして端部形状を変形した例であり，本例にあって該植栽床Ａは，その端部及びコーナーを花壇Ｂの湾曲内壁に沿って傾斜乃至立上げ状にすることによって花壇Ｂの円形形状に馴染んで該花壇Ｂに納めて同様に敷設してある。
【００１７】
図示した例は以上のとおりとしたが，透水性フィルターを，織布，透水孔を設置した軟質合成樹脂シート等適宜の材料によるものとして，その形状自在性を有するものとすること，保水材ケースを軟質合成樹脂等軟質材料によるものとして，区分溝乃至交差区分溝の折曲自在性を確保すること，保水材を保水性を有する人工材料によるものとすること，区分溝を非交差の保水材ケースを横断するように配置すること，交差区分溝を１又は複数の区分溝に対してこれに交差する複数の区分溝を備えた適宜の形状とし，これによって収容部の数を適宜に設定すること等を含めて，本発明の実施に当って，透水性フィルター，保水材ケース，保水材，桝目帯状の間隔，必要に応じて用いる区分溝，交差区分溝等の各具体的形状，構造，材質，これらの関係，これらに対する付加等は，上記発明の要旨に反しない限り，様々な形態のものとすることができる。
【００１８】
【発明の効果】
本発明は以上のとおりに構成したから，請求項１に記載の発明は，形状自在性を有する透水性フィルターに桝目帯状の間隔をあけて，収容部に保水材を充填しその平面形状を方形又は円形とした個別多数の保水材ケースを整列配置することによって，上記間隔を曲げ代として保水材ケース同士を近接するように離接自在とし，これらの間の桝目帯状の間隔を寸法を吸収可能の寸法調整手段として寸法自在性を確保するとともに桝目帯状の間隔を介して保水材ケースを植栽床の端部において傾斜乃至立上げ状にしてその端部形状を変形可能として形状自在性を確保するとともに上記保水材ケースに，その収納部をそれぞれ多数に区分することによって該保水材ケースを表面側に折曲自在とした曲げ代をなす交差区分溝を配置して，該保水材ケースの上記折曲による端部形状の変形を可能として，
【図面の簡単な説明】
【図１】フレキシブル植栽床の背面側斜視図である。
【図２】フレキシブル植栽床の背面図である。
【図３】大きさの異なるフレキシブル植栽床の背面図である。
【図４】更に大きさの異なるフレキシブル植栽床の背面図である。
【図５】フレキシブル植栽床の部分拡大縦断面図である。
【図６】フレキシブル植栽床の使用状態を示す説明図である。
【図７】フレキシブル植栽床の他の使用状態を示す説明図である。
【符号の説明】
Ａ  フレキシブル植栽床
Ｂ  花壇
１  透水性フィルター
２  保水ケース
３  収容部
３ａ  区分収容部
３ｂ  区分収容部
３ｃ  区分収容部
３ｄ  区分収容部
４  上縁部
５  区分溝
６  保水材
【図１】
0003831554.tif 000002
【図２】
0003831554.tif 000003
【図３】
0003831554.tif 000004
【図４】
0003831554.tif 000005
【図５】
0003831554.tif 000006
【図６】
0003831554.tif 000007
【図７】
0003831554.tif 000008